(57)【特許請求の範囲】
【請求項１】
枠体にパネル体を固定して成り、前記枠体における縦部材の所定箇所にはパネル面に直交する方向にボルト挿通穴が形成されており、前記パネル体には前記ボルト挿通穴に対応する箇所にボルト頭部又はナットの収容用の穴が形成されている間仕切りパネルを用い、
二枚の間仕切りパネルが互いの枠体側を向かい合わせ、前記ボルト貫通穴に挿通させたボルトを用いて間仕切りパネルが連結された間仕切りパネルの配置構造において、
部屋内に配置された支柱部材の側面から突出して設けられた連結部材を前記枠体の縦部材にて挟み込むようにして二枚の間仕切りパネルを配置し、前記連結部材に形成された貫通穴にも前記ボルトを挿通させることで、間仕切りパネルを前記連結部材に固定したことを特徴とする間仕切りパネルの配置構造。
【請求項２】
請求項１に記載の間仕切りパネルの配置構造において、前記連結部材は前記支柱部材に着脱可能に設けられたことを特徴とする間仕切りパネルの配置構造。
【請求項３】
請求項１又は請求項２に記載の間仕切りパネルの配置構造において、前記間仕切りパネルにおけるパネル体の縦縁が前記支柱部材の側面の略中央に位置することを特徴とする間仕切りパネルの配置構造。
【発明の詳細な説明】
【０００１】
【産業上の利用分野】
この発明は、間仕切りパネル及び間仕切りパネルの配置構造に関する。
【０００２】
【従来の技術】
建物における室内の間仕切り壁は、一般に、木桟パネルを配置し、この木桟パネルに石膏ボードをビス等によって固定し、この石膏ボード上に壁紙（クロス）を貼り付けることで仕上げを行っている。この仕上げは、具体的には、石膏ボードのビス穴や継ぎ目部の凹凸をパテ処理によって平滑にして養生した後（パテを乾燥させた後）、壁紙の裏面に糊付けを行い、前記養生を行った石膏ボードに貼り付けていく作業となる。
【０００３】
【発明が解決しようとする課題】
しかしながら、上記従来の間仕切り壁では、石膏ボードがビス等によって木桟パネルに固定されているため、リフォームを行なうときに、石膏ボードや木桟パネル等が廃材になってしまう。また、解体の際に粉塵を発生し、作業環境上好ましくない。また、配管や配線を間仕切り壁内に配置するのに都合のよい構造にはなっていない。
【０００４】
この発明は、上記の事情に鑑み、配管や配線を施すのが容易であり、また、リフォーム等を行なうときにおいて、内装部材が廃材となってしまうのを極力回避することができる間仕切りパネル及び間仕切りパネルの配置構造を提供することを目的とする。
【０００５】
【課題を解決するための手段】
この発明の間仕切りパネルは、上記の課題を解決するために、枠体にパネル体を固定して成り、前記枠体における縦部材の所定箇所にはパネル面に直交する方向にボルト挿通穴が形成されており、前記パネル体には前記ボルト挿通穴に対応する箇所にボルト頭部又はナットの収容用の穴が形成されていることを特徴とする。
【０００６】
そして、この発明の間仕切りパネルの配置構造は、二枚の間仕切りパネルが互いの枠体側を向かい合わせ、前記ボルト貫通穴に挿通させたボルトを用いて間仕切りパネルが連結されたことを特徴とする。
【０００７】
かかる構成であれば、二枚の間仕切りパネルが互いの枠体側を向かい合わせて配置されることで、パネル体間には枠体の厚みに対応した空間が形成されることになり、この空間を利用することで配管や配線が容易に行なえることになる。
【０００８】
部屋内に配置された支柱部材の側面から突出して設けられた連結部材を前記枠体の縦部材にて挟み込むようにして二枚の間仕切りパネルを配置し、前記連結部材に形成された貫通穴にも前記ボルトを挿通させることで、間仕切りパネルを前記連結部材に固定してもよい。前記連結部材は前記支柱部材に着脱可能に設けられるのがよい。また、前記間仕切りパネルにおけるパネル体の縦縁が前記支柱部材の側面の略中央に位置するのがよい。また、間仕切りパネルは、タンス等の家具が取り付けられていてもよい。また、洗面器等の設備が取り付けられていてもよい。
【０００９】
間仕切りパネルがボルトによって連結される構造であるから、解体に際して間仕切りパネルが破損するといったことがなく、また、粉塵を発生するといったこともない。不要になった間仕切りパネルについては、そのままリユース（再活用）ができるし、廃棄するにしても、枠体とパネル部との分別が容易に行なえることになる。
【００１０】
【発明の実施の形態】
以下、この発明の実施形態の間仕切りパネル及び間仕切りパネルの配置構造を図１乃至図７に基づいて説明する。
【００１１】
図１に示すように、Ｈ型鋼から成る梁１上に床パネル２…が配置されている。各床パネル２は例えば基準値Ｐ＝９１０ｍｍとすると、２Ｐ×２Ｐ角の大きさに設定されている。そして、床パネル２の角部及び辺部の中央に対応させてスタッド下側受け具３が予め設けられている。スタッド下側受け具３…の配置間隔は、１Ｐ間隔となる。床パネル２の四隅に切欠きを形成しておけば、床パネル２の角の突き合わせ箇所に凹部が形成され、この凹部にスタッド下側受け具３を配置しておくことができる。なお、床パネル２上には仕上げフロアー材４が置かれるのであるが、前記スタッド下側受け具３…に対応する箇所では、穴部を形成しておくと共にこの穴部を塞ぐ蓋状体を装着できるようにし、使用しないスタッド下側受け部材３…上を覆うようにすることができる。
【００１２】
スタッド（支柱部材）５の下端部と前記スタッド下側受け具３との係合状態を示すと、図２（ｂ）に示すごとくなる。また、天井側には、前記スタッド下側受け具３…の配置に対応して、図２（ａ）に示すように、スタッド上側受け具６が設けられており、任意のスタッド下側受け具３及びスタッド上側受け具６を利用してスタッド５を配置することができる。
【００１３】
前記スタッド５は、上下端が閉鎖された鋼製の角筒材から成り、その上端面に角凸部５ａを有し、下端面に突っ張り用ねじ機構５ｂを有している。そして、前記スタッド上側受け具６は前記角凸部５ａに対応した角穴部６ａを有し、前記スタッド下側受け具３は前記ねじ機構５ｂにおけるボルト５１の先端が挿通される穴部３ａを有している。
【００１４】
突っ張り用ねじ機構５ｂについて説明する。スタッド５の下端閉鎖板５２と増肉板５３とナット５４とは溶接等によって互いに固定されている。ボルト５１はその頭部をスタッド５内に位置させ、ねじ部をスタッド５の下方向へ突出させている。ボルト５１のねじ部に螺合させてあるナット５５は当該ねじ部に溶接等によって固定されている。前記ナット５５はスタッド下側受け具３の上面によって受け止められる。ナット５５にスパナ等を装着して時計回りに回すと、ボルト５１におけるねじ部の突出長さが長くなり、天井−床間でスタッド５の突っ張り状態が得られることになる。なお、突っ張り用ねじ機構５ｂにおいて、いわゆる早回しボルトを用いることで、スタッド５の取付作業の時短が図れる。
【００１５】
図３は、間仕切りパネル７を示した図であって、左部分は裏面側を示し、右部分は表面側を示している。間仕切りパネル７は、軽量形鋼から成る枠部７ａに当該枠部７ａよりも幾分大きな石膏ボード７ｂを固定して成り、前記枠部７ａにおける縦部材の所定箇所にはパネル面に直交する方向にボルト挿通穴７１が形成されており、前記石膏ボード７ｂには前記ボルト挿通穴７１に対応する箇所にボルト頭部又はナット収容用の貫通穴７２が形成されている。枠部７ａの一方の面に石膏ボード７ｂを接合したものである。また、石膏ボード７ｂの縁には断面コ字形状をなす金属製の縁取り枠７ｃが固定されている。
【００１６】
図４（ａ）は、スタッド５に間仕切りパネル７を装着した状態を示した断面図である。間仕切りパネル７は、軽角形鋼から成る枠部７ａの一方の面に石膏ボード７ｂを接合したものである。また、石膏ボード７ｂの縁には金属製の縁取り枠７ｃが固定されている。スタッド５にはパネル受け具８が装着される。２枚の間仕切りパネル７はその枠部７ａ側を互いに向け合って（内側にして）配置され、前記パネル受け具８における突出部８ｂを挟み込む。そして、このパネル受け具８及び枠部７ａ及び石膏ボード７ｂを貫通してボルト９が設けられる。前記ボルト９にその両側からナット１０・１０が装着されることによって、２枚の間仕切りパネル７はスタッド５に連結・固定されることになる。また、横方向に並ぶ二枚の間仕切りパネル７・７については、その石膏ボード７ｂの縦縁が前記スタッド５の側面の略中央に位置するように配置される。
【００１７】
前記パネル受け具８は、図４（ｂ）に示すように、略Ｔ字形状を成す。フランジ部８ａはスタッド５の側面に当接する部分であり、このフランジ部８ａの上部と下部にはボルト挿通穴８ｃが形成されている。また、突出部８ｂには、前記ボルト９が挿通されるボルト挿通穴８ｄが形成されている。
【００１８】
ボルト挿通穴８ｃ・８ｃには、フランジ部８ａを挟み込むようにボルト１１とナット１２とを装着させておく。スタッド５の四側面の上部と中央部と下部には、図５に示すように、２つの係合穴５ｃを上下に並べて形成した係合穴対が形成されている。２つの係合穴５ｃの間隔はボルト挿通穴８ｃ・８ｃの間隔に対応する。係合穴５ｃは上部大径穴部と下部小幅穴部とが連結されてなる。上部大径穴部は前記ナット１２を挿通させる大きさを有し、下部小幅穴部はボルト１１のねじ部より幾分広い幅を有する。ナット１２を上部大径穴部から通してスタッド５内に位置させた後に下方にずらしてボルト１１のねじ部を下部小幅穴部に位置させる。この状態でボルト１１をインパクトレンチ等で締め込むことで、パネル受け具８がスタッド５に固定されることになる。
【００１９】
間仕切りパネル７の表面に壁紙を直貼りしてもよいが、この実施形態では、縁取り枠７ｃに面ファスナーの雄側シートを貼付し、裏面に面ファスナーの雌側が形成された壁紙（間仕切りパネル７の大きさに対応するようにロールものから切り出す）を貼り付けることとしている。また、この実施形態では、壁紙は二以上の間仕切りパネル７・７に跨がることのないように装着しているが、跨がるように貼り付けることを排除するものではない。また、壁紙の裏面に着磁層を形成し、鉄製とした縁取り枠７ｃに磁力にて装着するようにしてもよい。
【００２０】
また、間仕切りパネル７の下辺と仕上げフロアー材４との間には、図示しない巾木を装着する。この巾木についても接着剤等で固定するのではなく、ねじ等で間仕切りパネル７やスタッド５に装着する。
【００２１】
以上説明したように、かかる発明の間仕切りパネル７においては、枠部７ａにおける縦部材の所定箇所にパネル面に直交する方向にボルト挿通穴７１が形成されており、前記石膏ボード７ｂには前記ボルト挿通穴７１に対応する箇所にボルト頭部又はナット収容用の貫通穴７２が形成された構成である。いわば、通常の間仕切りパネルを半分割したごとき構成である。そして、かかる発明の間仕切りパネルの配置構造は、二枚の間仕切りパネル７が互いの枠部７ａ側を向かい合わせ、前記穴７１，７２に挿通させたボルト９、及びナット１０にて間仕切りパネル７が連結される。二枚の間仕切りパネル７・７における石膏ボード７ｂ・７ｂ間には枠部７ａの厚みの略２倍の空間が形成されることになり、この空間を利用することで配管や配線が容易に行なえることになる。
【００２２】
また、間仕切りパネル７・７がボルト９及びナット１０によって連結される構造であるから、解体に際して間仕切りパネル７が破損するといったことがなく、また、粉塵を発生するといったこともない。不要になった間仕切りパネル７については、そのままリユース（再活用）ができるし、廃棄するにしても、枠部７ａと石膏ボード７ｂとの分別が容易に行なえることになる。
【００２３】
なお、間仕切りパネル７は、二枚組で間仕切り壁を成すことになるが、一枚の間仕切りパネル７を用いて部屋内壁とすることができる。すなわち、図１に示しているように、外壁２０の内側箇所にスタッド５を配置し、このスタッド５に一枚の間仕切りパネル７を固定するだけで部屋内壁を構成できる。間仕切りパネル７を間仕切り壁及び部屋内壁の両方に使用する兼用構成により、コストの削減も図れることになる。
【００２４】
また、間仕切りパネル７は、図６（ａ）に示すように、開口（窓用或いは通路用等）を有した形態とすることもでき、また、図６（ｂ）に示す収納家具２１付きの構成、或いは、図６（ｃ）に示す洗面器２２付きの構成等、設備付きの間仕切りパネルとすることができる。間仕切りパネル７では、前述のごとく、配管や配線を施すことができるから（一枚構成で部屋内壁とする場合でも）、設備付きの間仕切りパネルにおいて、配管や配線を間仕切り壁内あるいは部屋内壁裏面に配置させる構成を採用することができる。
【００２５】
また、ボルト１１に替えて、図７（ａ）に示すように、ボルト１１Ａを用いてもよい。このボルト１１Ａは、首部に四角形部を有しており、この四角形部は係合穴５ｃの下部小幅穴部の幅に対応している。四角形部が下部小幅穴部に係合することで、ボルト１１Ａの空回りが防止できる。また、図７（ｂ）に示すボルト１１Ｂを用いてもよい。このボルト１１Ｂを用いる場合には、その頭部がスタッド５内に位置するようにする。ボルト１１Ｂの先端部には六角穴が形成されており、この六角穴にレンチを差し込むことで、ボルト１１Ａの空回りが防止できることになる。
【００２６】
【発明の効果】
以上説明したように、この発明の間仕切りパネルによれば、配管や配線が容易に行なえる。また、二枚の間仕切りパネルがボルトによって連結される構造であるから、解体に際して間仕切りパネルが破損するといったことがなく、また、粉塵を発生するといったこともない。不要になった間仕切りパネルについては、そのままリユース（再活用）ができるし、廃棄するにしても、枠体とパネル部との分別が容易に行なえるという効果を奏する。
【図面の簡単な説明】
【図１】この発明の実施形態における間仕切りパネル及び間仕切りパネルの配置構造を示した斜視図である。
【図２】同図（ａ）はスタッドの上端部及び受け具を示した斜視図であり、同図（ｂ）はスタッドの下端部及び受け具を示した断面図である。
【図３】間仕切りパネルを示した図であって、左部分は裏面側を示し、右部分は表面側を示した図である。
【図４】同図（ａ）はスタッドと間仕切りパネルとの連結構造を示した断面図であり、同図（ｂ）は間仕切りパネルを留めるための受け具を示した斜視図である。
【図５】スタッドと間仕切りパネルとの連結構造を示した斜視図である。
【図６】同図（ａ）乃至（ｃ）は、間仕切りパネルの変形例を示した斜視図である。
【図７】同図（ａ）及び（ｂ）は、ボルトの変形例を示した斜視図である。
【符号の説明】
１      梁
２      床パネル
３      スタッド下側下側受け具
５      スタッド
６      スタッド上側受け具
７      間仕切りパネル
【図１】
0003946532.tif 000002
【図２】
0003946532.tif 000003
【図３】
0003946532.tif 000004
【図４】
0003946532.tif 000005
【図５】
0003946532.tif 000006
【図６】
0003946532.tif 000007
【図７】
0003946532.tif 000008